(57)【要約】【課題】被記録媒体のカールを十分に抑制し、高精細な画像特性を得ることができるインクジェット記録方法を提供する。【解決手段】着色材と水を含む水性記録インクと少なくとも水を含む無色の水性液体組成物とを被記録媒体上に付与するインクジェット記録方法であって、記録インク、液体組成物の双方が少なくとも下記１）および２）から選択される１つ以上の化合物を含有し、且つ、該水性記録インクと該液体組成物とによって被記録媒体へ打ち込まれる前記１）および２）より選択される化合物の総量（該化合物総量）と、該水性記録インクと該液体組成物とによって被記録媒体へ打ち込まれる総水分量の比が、総水分量／該化合物総量＝２．０以上３．２以下であることを特徴とするインクジェット記録方法【選択図】  なし【特許請求の範囲】
【請求項１】
着色材と水を含む水性記録インクと少なくとも水を含む無色の水性液体組成物とを被記録媒体上に付与するインクジェット記録方法であって、記録インク、液体組成物の双方が少なくとも下記１）および２）から選択される１つ以上の化合物を含有し、且つ、該水性記録インクと該液体組成物とによって被記録媒体へ打ち込まれる下記１）および２）より選択される化合物の総量（該化合物総量）と、該水性記録インクと該液体組成物とによって被記録媒体へ打ち込まれる総水分量の比が、総水分量／該化合物総量＝２．０以上３．２以下であることを特徴とするインクジェット記録方法。
１）    化学構造が炭素数が４以上であって、ＯＨ基を３つ以上もつ化合物、
２）  化学構造が炭素数が７以上であって、ＯＨ基を２つもつ化合物。
【発明の詳細な説明】
【０００１】
【発明の属する技術分野】
本発明はインクを吐出させて画像の記録を行うインクジェット記録方法に用いられるインク及び、それを用いた記録方法に関するものである。
【０００２】
【従来の技術】
インクジェット方式は、種々の作動原理よりインクの微小液滴を飛翔させて被記録媒体（紙など）に付着させ、画像や文字などの記録を行う記録方式であり、高速、低騒音、多色化が容易、記録パターンの融通性が高い、現像および定着が不要などの特徴があり、様々な用途において急速に普及している。インクジェット記録方法で記録する際の被記録媒体としては普通紙、コート紙、光沢紙、ＯＨＰシート、バックプリントフィルムなど様々なものが市販されているが、一般のオフィスでのビジネス用途では低価格の普通紙を用いることが多い。この際の要求特性としては前述した特性を満足しながら、紙が多くのインクを付与された際に生じるカール（紙が反る、丸まる）現象を緩和、抑制することが挙げられる。ここでは記録中のカールはもとより、記録後、水分が乾燥、蒸発して起こる記録後カールの緩和、抑制が重要になってくる。
【０００３】
インクジェットで記録した記録物の使用については多様であり、カールした紙は積み重ねたり、ファイリングした際に丸まったり、平坦性を保てないために様々な不具合を生じる。また、ＯＨＰの発表用原稿のためし印刷を価格の安い普通紙を用いて行うこともあり、その際に図や写真、更には背景などを青などの２次色で記録すると紙が反ることにより取扱いに困ることが多い。
【０００４】
ここでカールが起きる現象は水分の付与が大きく起因している。すなわち、記録面積が広い場合、更には記録の際のインク付与量が大きい際に著しくカールが起きることが分かっている。
【０００５】
このカールを緩和、抑制する方法として従来幾つかの方法が提案されている。例えば、特開平４−３３２７７５号公報（特許文献１）において、分子構造中に水酸基を４個以上有し、水または水性有機溶媒に溶解な固体物質を含むインクジェット用インクが提案されている。また、特開平６−１５７９５５号公報（特許文献２）には糖類などのカール低減剤を含有するインクが提案されている。また、特開平６−２４０１８９号公報（特許文献３）、特開平９−１６５５３９号公報（特許文献４）には糖類、糖アルコール類を含有したインクが提案されている。また、特開平９−１７６５３８号公報（特許文献５）にはカール低減剤として特定のアミド化合物を含有したインクが提案されている。また、特開平１０−１３０５５０号公報（特許文献６）には特定の多価アルコールとグリセリンを組み合わせて含有したインクが提案されている。また、特開２０００−１９８２６７号公報（特許文献７）には溶媒、高分子バインダ、媒染剤、水溶性カール低減化合物、水溶性糊抜き化合物、耐光性化合物、消泡剤などを含むインクが提案されている。
【０００６】
また、特開平９−２０７４２４号公報（特許文献８）には反応液とインクを別々に記録し、それぞれにカールを低減する化合物を含有するインクが提案され、ある種のポリオールを反応液の多価金属の量よりも多く入れている。
【０００７】
また、インクジェット記録においては更に高速化が進んでおり、高速印刷する際の吐出安定性や信頼性が重要になり、そのために、インク自身の安定性、浸透性、粘度などの諸物性を得た上でカールを緩和・抑制することが重要になっている。
【０００８】
【特許文献１】
特開平４−３３２７７５号公報
【特許文献２】
特開平６−１５７９５５号公報
【特許文献３】
特開平６−２４０１８９号公報
【特許文献４】
特開平９−１６５５３９号公報
【特許文献５】
特開平９−１７６５３８号公報
【特許文献６】
特開平１０−１３０５５０号公報
【特許文献７】
特開２０００−１９８２６７号公報
【特許文献８】
特開平９−２０７４２４号公報
【０００９】
【発明が解決しようとする課題】
しかしながら、本発明者らの検討によると上記従来技術に記載の方法ではカールをある程度抑制することはできるが、改善の余地があった。また、特にカールの抑制を十分に行うためにカール抑制物質を多量に入れると、吐出性が悪化してしまう場合も多々あった。従って、本発明の目的は、上記した従来技術の問題を解決し、カールを十分に抑制し、特に普通紙の印刷物を扱い易くするものである。また、本発明はインク付与量の多い印字パターンを必要とする場合、更には長期的にカールを抑制することを目的とする。更には、高精細な画像特性、特に、ブリード抑制、定着性、画像濃度の点について良好な特性を得るものである。
【００１０】
【課題を解決するための手段】
上記目的は、以下の本発明によって達成される。即ち、本発明は、着色材と水を含む水性記録インクと少なくとも水を含む無色の水性液体組成物とを被記録媒体上に付与するインクジェット記録方法であって、記録インク、液体組成物の双方が少なくとも下記１）および２）から選択される１つ以上の化合物を含有し、且つ、該水性記録インクと該液体組成物とによって被記録媒体へ打ち込まれる下記１）および２）より選択される化合物の総量（該化合物総量）と、該水性記録インクと該液体組成物とによって被記録媒体へ打ち込まれる総水分量の比が、総水分量／該化合物総量＝２．０以上３．２以下であることを特徴とするインクジェット記録方法に関する。
１）    化学構造が炭素数が４以上であって、ＯＨ基を３つ以上もつ化合物、
２）  化学構造が炭素数が７以上であって、ＯＨ基を２つもつ化合物
【００１１】
【発明の実施の形態】
以下、好適な実施の形態を挙げて本発明を詳細に説明する。
【００１２】
本発明者等は、着色剤を含む水性記録インクと、該記録インクと共に被記録媒体上に付与する色材を含まない水性液体組成物の双方を用いて画像形成を行う際に、特定の化合物をインク中に含有させる記録方法であり、水分との関係について十分に鑑みた結果に基づき、良好な画像特性、安定な印字特性、記録物の取扱い性を考慮した印字ができるとの知見を得た。本発明はかかる知見に基づくものである。
【００１３】
本発明は下記の１）および２）に示す化合物より選択される１つ以上の化合物（カール低減剤）を添加したインクを用いる。
１）    化学構造が炭素数が４以上であって、ＯＨ基を３つ以上もつ化合物
２）    化学構造が炭素数が７以上であって、ＯＨ基を２つもつ化合物
これらの物質を記録インクと共に被記録媒体上に付与する色材を含まない水性液体組成物にも含有し、この液体組成物と前記インクとを用いて画像形成を行う。
【００１４】
（カール低減剤）
１）、２）の化合物の具体例としては、炭素数が４以上であって、ＯＨ基を３つ以上もつ化合物として、トリメチロールプロパン、トリメチロールエタン、トリス（ヒドロキシメチル）アミノメタン、１，２，６ヘキサントリオール、ジグリセリン、ジグリセリンのＥＯ付加物、糖類、糖アルコール類、オリゴ糖類、環状オリゴ糖類等がある。糖類としては具体的に、Ｄ−型およびＬ−型のフルクトース、タガトース、ソルポース、リボース、キシロース、アラビノース、リキソース、グルコース、マンノース、アロース、アルトロース、ギュロース、イドース、ガラクトース、タロース、グロース、マルトース、セロビオース、トレハロース、ゲンチオビオース、イソマルトース、ラクトース、ラクトース、スクロース、ショ糖、ラフィノース、ゲンチアノース、スタキオース、キシラン等が挙げられる。
【００１５】
糖アルコールとしては、単糖、多糖アルコール類が挙げられ、具体的には、
テトリトール、Ｄ−エリトール、Ｌ−エリトール、Ｄ−アラビニトール、キシリトール、アドニトール、リビトール、Ｄ−ソルビトール、アリトール、Ｄ−マンニトール、Ｄ−イジトール、Ｄ−タリトール、ズルシトール、ヘプチトール、マルチトール等が挙げられる。
【００１６】
炭素数が７以上であって、ＯＨ基を２つもつジオール類としては１，７ヘプタンジオール、トリプロピレングリコール、ポリエチレングリコール、ポリプロピレングリコール、等が挙げられる。
【００１７】
これらの化合物がインク及び、水性液体組成物に含有されインクジェット記録方法によってカールの少ない印字物が得られ、更に、印字物を保存後も長期的にカールを抑制できる理由は以下と考えられる。
【００１８】
被記録媒体である紙に水分が付与される場合、紙のセルロース繊維間に形成されている水素結合が一度切断される。すなわち、水分の付与により、セルロースの膨潤が生じるとともに化学的な現象が生じている。この時、紙は必ず膨潤しているため、水分を付与した面の反対側に反りカールする、すなわちマイナスカールを起こす。ところが、一度、吸収したセルロース中の水分は次第に蒸発し、セルロースの収縮が始まるとともに、一旦切れた水素結合の再結合が起こる。その際に切れた位置で再結合せず、別の位置で再結合するために紙は水分を付与した面の方向に次第に反りカールする。すなわちプラスカールを起こす。このプラスカールが普通紙などにインクジェット記録をした場合に問題になっている。
【００１９】
ここで普通紙とは一般に市販されているコピー用紙、コピー用再生紙、インクジェット用普通紙、カラーインクジェット用普通紙、インクジェット・電子写真共用紙、和紙等が挙げられる。より具体的には紙表面に特別の白色顔料がコートされていないか、コートされていても塗工量が少なく下地の紙（基紙）のパルプ繊維が部分的にでも露出しているものも含む。
【００２０】
本発明者はこの水分の付与→膨潤→マイナスカールの現象と蒸発→収縮→プラスカールの現象を十分に解析し、特に紙に付与される水分量とインクに添加する化合物によっていかにしてプラスカールを抑制するかを鋭意検討の結果、上述した特定のカール低減化合物を複数用い、更に、被記録媒体上での上記化合物と水分量の打ち込み量の比を制御することにより、カール低減化合物が効果的に、繊維のセルロース間に入り込み、水素結合の再結合の際に、紙が収縮しやすい結合を引き起こしくいようにしていることを見出した。すなわち、上記複数の化合物を用いて、被記録媒体に打ち込まれる化合物総量と総水分量を本発明のようにコントロールすることにより、水分の蒸発時に紙の伸縮がマイナスカールの方向に作用が働き、これらの化合物を単独で含有する場合よりカール低減効果に優れるものであった。更に、上記したカール低減効果のある化合物を単独で含むインクを用いて優れたカール低減効果を達成しようとするとインクの粘度上昇等による、信頼性が低下するという問題が生じる場合があったが、記録インクと水性媒体とを用いることで、各々のカール低減化合物の含有量を低下させることができるため信頼性が向上し、記録安定性が得られる。特に高速印字における安定性が高くなることを見出した。
【００２１】
これは、印字後、数時間や１日程度の短期間に効果を得るものではなく、１週間以上の長期的に効果が得られるところに大きな特徴がある。ここでの、上記化合物と水分の付与量は比の関係により既定でき、被記録媒体上に画像を形成する際に打ち込まれる該化合物総量と、双方によって打ち込まれる総水分量の比は十分なカール低減効果と長期的なカール低減効果を達成するために総水分量／該化合物総量＝２．０以上３．２以下であることが好ましい。ここで、上記化合物と水分を付与する際に、着色剤を含む水性記録インクと、該記録インクと共に被記録媒体上に付与する色材を含まない水性液体組成物の双方を用いて画像形成を行うインクジェット記録方法が有効であり、上記化合物と水分の比を効果的にコントロールできる。
【００２２】
また、本記録方法においてはフルべた印字して、１２００ｄｐｉ×１２００ｄｐｉ換算で２００％の印字密度（デューティ）のような付与する水分量が多い場合でもカールの抑制効果が十分発揮される。また、記録インク及び、色材を含まない水性液体組成物にそれぞれ含まれる水分量としてはそれぞれが１００質量％に対して、１０〜９０％が好適であり、本発明の効果を発揮するためには３０〜８０％が更に好適である。
【００２３】
次に、この時の記録インク及び、色材を含まない水性液体組成物について詳細に述べる。
【００２４】
まず、本発明で使用されるインクについて述べる。
【００２５】
（着色剤：染料、顔料）
記録するインクの着色材は水性染料、水分散性顔料、またはそれらの組み合わせによって用いられる。色材としてはブラック、シアン、イエロー、マゼンタの他、従来公知のオレンジ、グリーン、ブルーの染料、顔料も問題なく使用できる。
【００２６】
水溶性染料については可溶化基としてアニオン性基を有するものを用いる。
【００２７】
本発明で使用されるインクには、さらにこれに水、水溶性有機溶媒、及びその他の成分、例えば粘度調整剤、ｐＨ調整剤、防かび剤、中性またはアニオン性の界面活性剤、酸化防止剤等が必要に応じて含まれる。
【００２８】
（染料）
本発明において、処理液を付与する、色を記録するインクの色はブラック、シアン、マゼンタ、イエローの他、従来公知のオレンジ、グリーン、ブルーが使用可能であり、色材としてはアニオン性の水溶性染料が挙げられる。
【００２９】
本発明で使用されるアニオン性基を有する水溶性染料としては、カラーインデックス（ＣＯＬＯＵＲ  ＩＮＤＥＸ）に記載されている水溶性の酸性染料、直接染料、反応性染料であれば特に限定はない。また、カラーインデックスに記載のない染料であっても、アニオン性基、例えばスルホン基を有するものであれば特に制限はない。これらの染料はインク中に１〜１０質量％、好ましくは１〜５質量％の範囲で用いる。
【００３０】
具体的な染料としては、
Ｃ．Ｉ．ダイレクトイエロー    ８、１１、１２、２７、２８、３３、３９、４４、５０、５８、８５、８６、８７、８８、９８、１００、１１０
Ｃ．Ｉ．ダイレクトレッド    ２、４、９、１１、２０、２３、２４、３１、３９、４６、６２、７５、７９、８０、８３、８９、９５、１９７、２０１、２１８、２２０、２２４、２２５、２２６、２２７、２２８、２３０
Ｃ．Ｉ．ダイレクトブルー    １、１５、２２、２５、４１、７６、７７、８０、８６、９０、９８、１０６、１０８、１２０、１５８、１６３、１６８、１９９、２２６
Ｃ．Ｉ．アシッドイエロー    １、３、７、１１、１７、２３、２５、２９、３６、３８、４０、４２、４４、７６、９８、９９
Ｃ．Ｉ．アシッドレッド    ６、８、９、１３、１４、１８、２６、２７、３２、３５、４２、５１、５２、８０、８３、８７、８９、９２、９４、１０６、１１４、１１５、１３３、１３４、１４５、１５８、１９８、２４９、２６５、２８９
Ｃ．Ｉ．アシッドブルー    １、７、９、１５、２２、２３、２５、２９、４０、４３、５９、６２、７４、７８、８０、９０、１００、１０２、１０４、１１７、１２７、１３８、１５８、１６１
Ｃ．Ｉ．ダイレクトブラック    １７、１９、２２、３１、３２、５１、６２、７１、７４、１１２、１１３、１５４、１６８
Ｃ．Ｉ．アシッドブラック    ２、４８、５１、５２、１１０、１１５、１５６
Ｃ．Ｉ．リアクティブブラック    １、８、１２、１３
Ｃ．Ｉ．フードブラック    １、２
等が挙げられる。勿論以上に限定されるものではない。
【００３１】
また、前記以外に本発明に用いる色を記録するインクの色材として可溶化基として、カルボキシル基を持つ染料が挙げられる。ここでは、ｐＨに対して溶解度の依存性を示す染料が挙げられる。これらの染料はインク中に１〜１０質量％、好ましくは１〜５質量％の範囲で用いる。
【００３２】
（顔料）
次に、本発明において使用される顔料としては、具体的には、黒色のインクに使用されるものとしてカーボンブラックが挙げられる。カーボンブラックとしては、例えば、ファーネス法、チャネル法で製造されたカーボンブラックであって、一次粒子径が１５〜４０ｎｍ、ＢＥＴ法による比表面積が５０〜３００ｍ２／ｇ、ＤＢＰ吸油量が４０〜１５０ｍｌ／１００ｇ、揮発分が０．５〜１０％、ｐＨ値が２〜９等の特性を有するものが好ましく用いられる。この様な特性を有する市販品としては、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、Ｎｏ．２２００Ｂ（以上三菱化成製）、ＲＡＶＥＮ  １２５５（以上コロンビア製）、ＲＥＧＡＬ  ４００Ｒ、ＲＥＧＡＬ  ３３０Ｒ、ＲＥＧＡＬ  ６６０Ｒ、ＭＯＧＵＬ  Ｌ（以上キャボット製）、Ｃｏｌｏｒ  Ｂｌａｃｋ  ＦＷ１、ＣＯＬＯＲ  Ｂｌａｃｋ  ＦＷ  １８、Ｃｏｌｏｒ  Ｂｌａｃｋ  Ｓ１７０、Ｃｏｌｏｒ  Ｂｌａｃｋ  Ｓ１５０、Ｐｒｉｎｔｅｘ  ３５、Ｐｒｉｎｔｅｘ  Ｕ（以上デグッサ製）等があり、いずれも好ましく使用することが出来る。
【００３３】
又、イエローインクに使用される顔料としては、例えば、Ｃ．Ｉ．Ｐｉｇｍｅｎｔ  Ｙｅｌｌｏｗ  １、Ｃ．Ｉ．Ｐｉｇｍｅｎｔ  Ｙｅｌｌｏｗ  ２、Ｃ．Ｉ．Ｐｉｇｍｅｎｔ  Ｙｅｌｌｏｗ  ３、Ｃ．Ｉ．Ｐｉｇｍｅｎｔ  Ｙｅｌｌｏｗ  １３、Ｃ．Ｉ．Ｐｉｇｍｅｎｔ  Ｙｅｌｌｏｗ  １６、Ｃ．Ｉ．Ｐｉｇｍｅｎｔ  Ｙｅｌｌｏｗ７４、Ｃ．Ｉ．Ｐｉｇｍｅｎｔ  Ｙｅｌｌｏｗ  ８３、Ｃ．Ｉ．Ｐｉｇｍｅｎｔ  Ｙｅｌｌｏｗ  １２８等が挙げられ、
マゼンタインクに使用される顔料としては、例えば、Ｃ．Ｉ．Ｐｉｇｍｅｎｔ  Ｒｅｄ  ５、Ｃ．Ｉ．Ｐｉｇｍｅｎｔ  Ｒｅｄ  ７、Ｃ．Ｉ．Ｐｉｇｍｅｎｔ  Ｒｅｄ  １２、Ｃ．Ｉ．Ｐｉｇｍｅｎｔ  Ｒｅｄ  ４８（Ｃａ）、Ｃ．Ｉ．Ｐｉｇｍｅｎｔ  Ｒｅｄ  ４８（Ｍｎ）、Ｃ．Ｉ．Ｐｉｇｍｅｎｔ  Ｒｅｄ  ５７（Ｃａ）、Ｃ．Ｉ．Ｐｉｇｍｅｎｔ  Ｒｅｄ  １１２、Ｃ．Ｉ．Ｐｉｇｍｅｎｔ  Ｒｅｄ  ｌ２２等が挙げられ、
シアンインクに使用される顔料としては、例えば、Ｃ．Ｉ．Ｐｉｇｍｅｎｔ  Ｂｌｕｅ  １、Ｃ．Ｉ．Ｐｉｇｍｅｎｔ  Ｂｌｕｅ  ２、Ｃ．Ｉ．Ｐｉｇｍｅｎｔ  Ｂｌｕｅ  ３、Ｃ．Ｉ．Ｐｉｇｍｅｎｔ  Ｂｌｕｅ１５：３、Ｃ．Ｉ．Ｐｉｇｍｅｎｔ  Ｂｌｕｅ  １６、Ｃ．Ｉ．Ｐｉｇｍｅｎｔ  Ｂｌｕｅ  ２２、Ｃ．Ｉ．Ｖａｔ  Ｂｌｕｅ  ４、Ｃ．Ｉ．Ｖａｔ  Ｂｌｕｅ  ６等が挙げられるが、これらに限られるものではなく、また、オレンジ、グリーン、ブルーの色調をもつ顔料も使用可能である。又、以上の他、本発明の為に新たに製造された顔料も勿論、使用することが可能である。
【００３４】
本発明で使用されるインクの色材として顔料が用いられている場合には、顔料の量は、インク全質量に対して、質量比で１〜２０質量％、好ましくは２〜１２質量％の範囲で用いる。
【００３５】
又、顔料を使用する場合に、顔料をインク中に含有させる分散剤としては、水溶性樹脂であればどの様なものでも使用することが出来るが、重量平均分子量が１，０００〜３０，０００の範囲のものが好ましく、更には、３，０００〜１５，０００の範囲のものが好ましく使用される。この様な分散剤として、具体的には、スチレン、スチレン誘導体、ビニルナフタレン、ビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、及びその誘導体等から選ばれた少なくとも２つ以上の単量体（このうち少なくとも１つは親水性単量体）からなるブロック共重合体、或いはランダム共重合体、グラフト共重合体、又はこれらの塩等が挙げられる。或いは、ロジン、シェラック、デンプン等の天然樹脂も好ましく使用することが出来る。これらの樹脂は、塩基を溶解させた水溶液に可溶であり、アルカリ可溶型樹脂である。尚、これらの顔料分散剤として用いられる水溶性樹脂は、インク全質量に対して０．１〜５質量％の範囲で含有させるのが好ましい。
【００３６】
特に、上記した様な顔料が含有されているインクの場合には、インク全体が中性又はアルカリ性に調整されていることが好ましい。この様なものとすれば、顔料分散剤として使用される水溶性樹脂の溶解性を向上させ、長期保存性に一層優れたインクとすることが出来るので好ましい。但し、この場合、インクジェット記録装置に使われている種々の部材の腐食の原因となる場合があるので、好ましくは、７〜１０のｐＨ範囲とするのが望ましい。
【００３７】
この際に使用されるｐＨ調整剤としては、例えば、ジエタノールアミン、トリエタノールアミン等の各種有機アミン、水酸化ナトリウム、水酸化リチウム、水酸化カリウム等のアルカリ金属の水酸物等の無機アルカリ剤、有機酸や鉱酸等が挙げられる。上記した様な顔料及び分散剤である水溶性樹脂は、水性液媒体中に分散又は溶解される。
【００３８】
上記した様な顔料が含有されたインクの作成方法としては、始めに、分散剤としての水溶性樹脂及び水が少なくとも含有された水性媒体に顔料を添加し、撹拌した後、後述の分散手段を用いて分散を行い、必要に応じて遠心分離処理を行って所望の分散液を得る。次に、この分散液にサイズ剤、及び、上記で挙げた様な適宜に選択された添加剤成分を加え、撹拌して本発明で使用するインクとする。
【００３９】
尚、分散剤として前記した様なアルカリ可溶型樹脂を使用する場合には、樹脂を溶解させる為に塩基を添加することが必要であるが、この際の塩基類としては、モノエタノールアミン、ジエタノールアミン、トリエタノールアミン、アミンメチルプロパノール、アンモニア等の有機アミン、或いは水酸化カリウム、水酸化ナトリウム等の無機塩基が好ましく使用される。
【００４０】
又、顔料が含有されているインクの作成方法においては、顔料を含む水性媒体を撹拌し分散処理する前に、プレミキシングを３０分間以上行うのが効果的である。即ち、この様なプレミキシング操作は、顔料表面の濡れ性を改善し、顔料表面への分散剤の吸着を促進することが出来る為、好ましい。
【００４１】
上記した顔料の分散処理の際に使用される分散機は、一般に使用される分散機なら、如何なるものでもよいが、例えば、ボールミル、ロールミル及びサンドミル等が挙げられる。その中でも、高速型のサンドミルが好ましく使用され、この様なものとしては、例えば、スーパーミル、サンドグラインダー、ビーズミル、アジテータミル、グレンミル、ダイノーミル、パールミル及びコボルミル（いずれも商品名）等が挙げられる。
【００４２】
又、顔料が含有されているインクをインクジェット記録方法に使用する場合には、耐目詰り性等の要請から、最適な粒度分布を有する顔料が用いられるが、所望の粒度分布を有する顔料を得る方法としては、分散機の粉砕メディアのサイズを小さくすること、粉砕メディアの充填率を大きくすること、処理時間を長くすること、吐出速度を遅くすること、粉砕後フィルターや遠心分離機等で分級すること及びこれらの手法の組合せ等の手法が挙げられる。
【００４３】
（アニオン性添加剤）
本発明において、顔料を含有するインクを使用する場合には、インク中に上記で説明した各種成分の他に、アニオン性の界面活性剤或いはアニオン性の高分子物質等、アニオン性化合物を添加するのが好ましい。特に、分散剤としてアニオン性化合物が用いられていない場合には、この様なアニオン性物質を添加することが必須である。この際の添加量としては、０．０５〜１０質量％、好ましくは０．２〜５質量％とする。
【００４４】
又、両性界面活性剤をその等電点以下のｐＨに調整して含有させるのも好ましい態様である。この際に使用されるアニオン性界面活性剤の例としては、カルボン酸塩型、硫酸エステル型、スルホン酸塩型、燐酸エステル型等、一般に使用されているものをいずれも好ましく使用することが出来る。又、アニオン性高分子の例としては、アルカリ可溶型の樹脂、具体的には、ポリアクリル酸ソーダ、或いは高分子の一部にアクリル酸を共重合したもの等を挙げることが出来るが、勿論、これらに限定されない。
【００４５】
（インクの液媒体）
本発明で使用されるインクにおいて好適な水性液媒体は、水及び水溶性有機溶剤の混合溶媒であり、水としては種々のイオンを含有する一般の水ではなく、イオン交換水（脱イオン水）を使用するのが好ましい。
【００４６】
本発明においては着色材と特定のカール低減剤、すなわち、
１）化学構造が炭素数が４以上であって、ＯＨ基を３つ以上もつ化合物、および２）化学構造が炭素数が７以上であって、ＯＨ基を２つもつ化合物
から選ばれる少なくとも１化合物を必須とし、それ以外に水と混合して使用できる水溶性有機溶剤を適宜配合して用いてもよい。
【００４７】
水と混合して使用される水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；エチレングリコール、プロピレングリコール、ブチレングリコール、トリエチレングリコール、チオジグリコール、ヘキシレングリコール、ジエチレングリコール等のアルキレン基が２〜６個の炭素原子を含むアルキレングリコール類；グリセリン；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；Ｎ−メチル−２−ピロリドン、２−ピロリドン、１，３−ジメチル−２−イミダゾリジノン等が挙げられる。
【００４８】
上記した様な水溶性有機溶剤のインク中における含有量は、一般的にはインク全質量の０．５〜２０質量％の範囲とし、好ましくは１〜１０質量％の範囲とする。又、使用される水の含有量としては、インク全質量の１０〜９０質量％、好ましくは３０〜８０質量％の範囲とする。
【００４９】
又、本発明で使用されるインクは、上記の成分の他に、必要に応じて所望の物性値を持つインクとする為に、界面活性剤、消泡剤、防腐剤等を適宜に添加することが出来る。
【００５０】
また、上述した水溶性染料と水分散性顔料を微妙な調色の目的や色濃度の調整などのために組み合わせることも可能である。このとき、水性染料と水分散性顔料は目的に応じて１０：１〜１：１０の範囲で配合可能である。
【００５１】
本発明における記録インクの物性として好適な範囲は２５℃付近で、ｐＨは３〜１２、好ましくは７〜１０、表面張力は１０〜６０ｍＮ／ｍ（１０〜６０ｄｙｎ／ｃｍ）、好ましくは１０〜４０ｍＮ／ｍ（１０〜４０ｄｙｎ／ｃｍ）であり、粘度は１〜３０ｍＰａ・ｓ、好ましくは１〜５ｍＰａ・ｓである。
【００５２】
（液体組成物）
次に、本発明に使用する色材を含まない水性液体組成物について説明をする。液体組成物は本発明における化合物（カール低減剤）を必須成分とするが、必要により下記の２つの成分の何れかを更に含有する。
【００５３】
記録インクと反応性を有する化合物
水溶性ポリマー
勿論１）の物質が２）の特性を兼ね備えても良い。
【００５４】
以下１）に使用する化合物について説明する。
１）に使用される化合物は
ａ）カチオン性有機化合物
ｂ）多価金属塩
のいずれかである。
【００５５】
ａ）について説明する。
本発明に使用するカチオン性有機化合物としては、例えば、少なくともカチオン性基をもつ高分子化合物、オリゴマー類や界面活性剤等の低分子カチオン性化合物が挙げられる。
【００５６】
カチオン性の高分子物質としては、例えば、ポリアリルアミン塩酸塩、ポリアミンスルホン塩酸塩、ポリビニルアミン塩酸塩、キトサン酢酸塩等を挙げることができるが、勿論これらに限定されるわけではないし、また、塩酸塩型、酢酸塩型の化合物に限定されるわけでもない。また、上記に挙げたものの他、下記に挙げるようなノニオン性高分子物質の一部をカチオン化した化合物を用いることもできる。具体的には、ビニルピロリドンとアミノアルキルアルキレート４級塩との共重合体、アクリルアマイドとアミノメチルアクリルアマイド４級塩との共重合体等を挙げることができる。勿論これらの化合物に限定されないことは言うまでもない。更に、上記に列挙したような高分子物質及びカチオン性の高分子物質は、水溶性のものであれば申し分ないが、ラテックスやエマルジョンの様な分散体であってもかまわない。
【００５７】
次に、本発明において用いることのできる低分子カチオン性化合物の具体例を以下に列挙する。しかし、本発明においては、必ずしも下記に例示した低分子カチオン性化合物に限定されないことは言うまでもない。
【００５８】
低分子カチオン性化合物としては、先ず、１級或いは２級或いは３級アミン塩型の低分子カチオン性化合物を用いることができる。具体的には、ラウリルアミン、ヤシアミン、ステアリルアミン、ロジンアミン等の塩酸塩、酢酸塩等を挙げられる。また、第４級アンモニウム塩型の低分子カチオン性化合物を用いることができる。具体的には、ラウリルトリメチルアンモニウムクロライド、ラウリルジメチルベンジルアンモニウムクロライド、ベンジルトリブチルアンモニウムクロライド、塩化ベンザルコニウム等を挙げられる。また、ピリジニウム塩型の低分子カチオン性化合物を用いることができる。具体的には、セチルピリジニウムクロライド、セチルピリジニウムブロマイド等を挙げられる。イミダゾリン型の低分子カチオン性化合物を用いることができるが、具体的には、２−ヘプタデセニル−ヒドロキシエチルイミダゾリン等が挙げられる。また、高級アルキルアミンのエチレンオキシド付加物等の低分子カチオン性化合物を用いることができるが、具体的には、ジヒドロキシエチルステアリルアミン等が挙げられる。
【００５９】
更に、本発明では、低分子カチオン性化合物として、あるｐＨ領域においてカチオン性を有する両性界面活性剤を使用することもできる。このようなものとしては、アミノ酸型両性界面活性剤、Ｒ−ＮＨ−ＣＨ２−ＣＨ２−ＣＯＯＨ型の化合物、ベタイン型の化合物等が挙げられるが、より具体的には、ステアリルジメチルベタイン、ラウリルジヒドロキシエチルベタイン等のカルボン酸塩型両性界面活性剤の他、硫酸エステル型、スルホン酸型、燐酸エステル型等の両性界面活性剤等を使用することができる。勿論、これらの両性界面活性剤を使用する場合には、それらの等電点以下のｐＨになるようにプリント性向上液のｐＨを調整するか、記録媒体上で記録インクと混合した場合に、混合液がそれらの等電点以下のｐＨになるように調整するか、何れかの方法をとる必要がある。
【００６０】
ｂ）について説明する。
【００６１】
ｂ）については、下記のような多価金属塩類を挙げることができる。代表的な好ましい材料としては、次に列挙するような２価および３価の金属陽イオンを含有する塩溶液が挙げられるが、これらに限定されるものではない。即ち、２価の金属陽イオンとしては、Ｃａ２＋、Ｃｕ２＋、Ｎｉ２＋、Ｍｇ２＋、Ｚｎ２＋、及びＢａ２＋等、３価の金属陽イオンとしては、Ａｌ３＋、Ｙ３＋、Ｆｅ３＋等を挙げることができる。また、これらの陽イオンと結合する好ましい陰イオンとしては、硝酸イオンや酢酸イオン等が挙げられる。しかし、本発明は、これに限定されるものではない。
【００６２】
次に２）水溶性ポリマーについて説明する。
【００６３】
液体組成物は、アニオン性、カチオン性もしくはノニオン性の水溶性ポリマー（水溶性樹脂）の何れかを含有してもよい。カチオン性樹脂を用いた場合には前記１）の特性も兼ね備えるのでより好ましい。
【００６４】
具体例を挙げれば、ノニオン性水溶性樹脂としては、ポリビニルアルコール、ポリビニルピロリドン、ポリアクリルアミド、ポリエチレンオキサイド、メチルセルロース、ゼラチン、カゼイン等のタンパク質、グアーガム、キサンタンガム、デンプン等が挙げられる。
【００６５】
カチオン性水溶性樹脂としてはポリエチレンイミン、ポリビニルアミン、ポリアミンスルホン、ポリアクリルアミド、ポリアリルアミン、キトサン等の塩酸塩、硫酸塩及び酢酸塩等、また別の具体例としては、ノニオン性高分子物質の一部をカチオン化した化合物でもよい。具体的には、ビニルピロリドンとアミノアルキルアルキレート４級塩との共重合体、アクリルアマイドとアミノメチルアクリルアマイド４級塩との共重合体、カチオン化デンプン等を挙げることができる。
【００６６】
アニオン性水溶性樹脂の具体例を挙げれば、スチレン−アクリル酸共重合体、スチレン−アクリル酸−アクリル酸アルキルエステル共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、アルギン酸、ポリアクリル酸或いはこれらの塩、および誘導体、等を挙げることができるが、もちろんこれらの化合物に限定されないことは言うまでもない。
【００６７】
さらに本発明における液体組成物は上述した化合物の他に、本発明におけるカール低減剤に該当しない水溶性有機化合物、界面活性剤、ｐＨ調整剤、防腐剤等を適宜含有してもよい。
【００６８】
本発明で述べる液体組成物は、色材を含まず、無色または記録インクと共に付与し形成される画像の色調に変化を与えない範囲の色調を有するものである。この液体組成物の物性として好適な範囲は２５℃付近で、ｐＨは３〜１２、好ましくは４〜８、表面張力は１０〜６０ｍＮ／ｍ（１０〜６０ｄｙｎ／ｃｍ）、好ましくは１０〜４０ｍＮ／ｍ（１０〜４０ｄｙｎ／ｃｍ）であり、粘度は１〜３０ｍＰａ・ｓ、好ましくは１〜５ｍＰａ・ｓである。
【００６９】
（記録装置、記録方法について）
本発明のインクは、熱エネルギーの作用により液滴を吐出させて記録を行うインクジェット記録方式にとりわけ好適に用いられるが、他のインクジェット記録方法や一般の筆記用具としても使用できることはいうまでもない。
【００７０】
本発明のインクを用いて記録を行うのに好適な記録装置としては、記録ヘッドの室内のインクに記録信号に対応した熱エネルギーを与え、該エネルギーにより液滴を発生させる装置が挙げられる。
【００７１】
図１は、本発明に係る吐出時に気泡を大気と連通する吐出方式の液体吐出ヘッドとしての液体吐出ヘッドおよびこのヘッドを用いる液体吐出装置としてのインクジェットプリンタの一例の要部を示す概略斜視図である。図１においては、インクジェットプリンタは、ケーシング  １００８  内に長手方向に沿って設けられる記録媒体としての用紙  １０２８  を図１に示す矢印Ｐで示す方向に間欠的に搬送する搬送装置  １０３０  と、搬送装置  １０３０  による用紙  １０２８  の搬送方向Ｐに略直交する方向Ｓに略平行に往復運動せしめられる記録部  １０１０  と、記録部  １０１０  を往復運動させる駆動手段としての移動駆動部  １００６  とを含んで構成されている。
【００７２】
搬送装置  １０３０  は、互いに略平行に対向配置される一対のローラユニット  １０２２ａ  および  １０２２ｂ  と、一対のローラユニット  １０２４ａ  および  １０２４ｂ  と、これらの各ローラユニットを駆動させる駆動部  １０２０  とを備えている。これにより、駆動部  １０２０  が作動状態とされるとき、用紙  １０２８  が図１に示す矢印Ｐ方向にそれぞれのローラユニット  １０２２ａ  および  １０２２ｂ  と、ローラユニット  １０２４ａ  および  １０２４ｂ  により狭持されて間欠送りで搬送されることとなる。
【００７３】
移動駆動部  １００６  は、所定の間隔をもって対向配置される回転軸に配されるプーリ  １０２６ａ  および  １０２６ｂ  に巻きかけられるベルト  １０１６  と、ローラユニット  １０２２ａ  および  １０２２ｂ  に略平行に配置され記録部  １０１０  のキャリッジ部材  １０１０ａに連結されるベルト  １０１６  を順方向および逆方向に駆動させるモータ  １０１８  とを含んで構成されている。
【００７４】
モータ  １０１８  が作動状態とされてベルト  １０１６  が図７の矢印Ｒ方向に回転したとき、記録部  １０１０  のキャリッジ部材  １０１０ａ  は図７の矢印Ｓ方向に所定の移動量だけ移動される。また、モータ  １０１８  が作動状態とされてベルト  １０１６  が図１の矢印Ｒ方向とは逆方向に回転したとき、記録部  １０１０  のキャリッジ部材  １０１０ａは図１の矢印Ｓ方向とは反対の方向に所定の移動量だけ移動されることとなる。さらに、移動駆動部  １００６  の一端部には、キャリッジ部材  １０１０ａ  のホームポ  ジションとなる位置に、記録部  １０１０  の吐出回復処理を行うための回復ユニット１０２６  が記録部  １０１０  のインク吐出口配列に対向して設けられている。
【００７５】
記録部  １０１０  は、インクジェットカートリッジ（以下、単にカートリッジと記述する場合がある）１０１２Ｙ、１０１２Ｍ、１０１２Ｃおよび  １０１２Ｂが各色、例えばイエロー、マゼンタ、シアンおよびブラックごとにそれぞれ、キャリッジ部材  １０１０ａに対して着脱自在に備えられる。
【００７６】
【実施例】
次に、実施例及び比較例を挙げて、本発明を具体的に説明する。本発明は、その要旨を超えない限り、下記実施例により限定されるものではない。尚、文中「部」または「％」とあるのは特に断りのない限り質量基準である。
【００７７】
［実施例１］
実施例１に使用する記録インク１および液体組成物１、および比較例１に使用する比較インク１を下記の要領で作製した。
【００７８】
（記録インク１の作製）
下記成分を混合し、更にポアサイズが０．２ミクロンのメンブレンフィルターにて加圧濾過し、記録インク１を得た。
Ｃ．Ｉ．ダイレクトブルー１９９                                        ３部
トリメチロールプロパン                      ２５部
アセチレノールＥＨ（川研ファインケミカル製）  １．０部
イオン交換水                                ７１部。
【００７９】
（液体組成物１の作製）
下記成分を混合し、更にポアサイズが０．２ミクロンのメンブレンフィルターにて加圧濾過し、液体組成物１を得た。
Ｄ−ソルビトール                              ２５部
アセチレノールＥＨ（川研ファインケミカル製）  １．０部
イオン交換水                                  ７４部。
【００８０】
（比較インク１の作製）
記録インク１と同様の方法により下記成分からなる比較インク１を得た。
Ｃ．Ｉ．ダイレクトブルー１９９                                        ３部
グリセリン                                  ２５部
アセチレノールＥＨ（川研ファインケミカル製）  １．０部
イオン交換水                                  ７１部。
【００８１】
下記表１に示した記録インクと液体組成物の組み合わせで、実施例１および比較例１の記録を行った。
【００８２】
【表１】
2004209759.tif 000002
ここで使用したインクジェト記録装置としては、図１に示したのと同様の記録装置を用いた。
【００８３】
用いた記録ヘッドは、１２００ｄｐｉの記録密度を有し、駆動条件としては、駆動周波数１０ｋＨｚとした。１２００ｄｐｉのヘッドを使用したときの１ドット当たりの吐出量はイエロー、マゼンタ、シアン、ブラックインク及び液体組成物共に４．５ｐＬのヘッドを使用した。尚、これらの記録条件は、実施例及び比較例を通じて同一である。
【００８４】
実施例１および比較例１においてはこの記録ヘッドのうち２ヘッドを用いて液体組成物と記録インクからなるＡ４フルベタ（２０．３×２７．１ｃｍ）のカラー（シアン）画像を形成した。この際、液体組成物を先打ちして先ず記録紙上に付着させ、その次に記録インクを同パス内で付着させた。評価に用いた記録紙はＡ４サイズのＰＰＣ用紙（キヤノン製）である。また、印字は印字領域を１回の走査で行なう１パス印字を行い、実施例１及び比較例１を通じて、液体組成物の記録媒体への付着領域は、インクの画像形成領域と同一領域であり、印字のデューティは液体組成物、インクのどちらも１００％である。
【００８５】
［実施例１の評価］
上記条件で印字した印字物のカール量を以下のようにして評価した。
【００８６】
印字物を常温／常湿下で１週間放置した後、カール量を測定した。印字物の紙が凹状にカールした場合を＋（プラスカール）、凸状にカールした場合を−（マイナスカール）とし、カールした紙の先端から紙の接地面までの距離を定規で測定した。
【００８７】
カール判定基準は以下の通りである。
Ａ…２０ｍｍ未満：全く問題ないレベル
Ｂ…２０ｍｍ以上３５ｍｍ未満：実用上問題ないレベル
Ｃ…３５ｍｍ以上：実用上問題あり
評価結果を表２に示す。
【００８８】
【表２】
2004209759.tif 000003
上の表の結果の通り、本発明における記録インク、液体組成物の双方によって打ち込まれるカール低減剤総量と、双方によって打ち込まれる総水分量の比が総水分量／該化合物総量＝３．２以下である実施例１はほとんどカールしないのに対し、該比が３．２以上である比較例１はカールが激しかった。
【００８９】
［実施例２］
次に実施例２に使用する記録インク２および液体組成物２を実施例１と同じ要領で作製した。
【００９０】
（記録インク２の作製）
記録インク１と同様の方法により下記成分からなる記録インク２を得た。
Ｃ．Ｉ．ダイレクトブルー１９９                                        ３部
トリメチロールプロパン                    １２．５部
Ｄ−ソルビトール                              １０部
アセチレノールＥＨ（川研ファインケミカル製）  １．０部
イオン交換水                              ７３．５部。
【００９１】
（液体組成物２の作製）
液体組成物１と同様の方法により下記成分からなる液体組成物２を得た。
Ｄ−ソルビトール                              １５部
ＰＥＧ３００                                                                      １０部
アセチレノールＥＨ（川研ファインケミカル製）  １．０部
イオン交換水                                  ７４部
［実施例２の評価］
記録インク２および液体組成物２を用いて、実施例１と同じ要領で印字を行い、得られた印字物のカール量の評価を行なった。評価結果を表３に示す。
【００９２】
【表３】
2004209759.tif 000004
［実施例３〜５］
次に実施例３〜５に使用する記録インクセット３、４、液体組成物３、４、５、および比較例２に使用する比較インクセット２を作製した。尚ここで言う記録インクセットとはイエロー、シアン、マゼンタ、ブラックの４色からなる記録インクのセットである。
【００９３】
（記録インクセット３の作製）
（イエロー記録インク３）
実施例１における記録インク１と同様の方法により、下記成分からなるイエロー記録インク３を得た。
Ｃ．Ｉ．アシッドイエロー２３                    ２．５部
１，２，６−ヘキサントリオール                  ５部
マルチトール                                １０部
ＰＥＧ２００                                                                      ８部
アセチレノールＥＨ（川研ファインケミカル製）  ０．５部
イオン交換水                                  ７４部。
【００９４】
（マゼンタ記録インク３）
実施例１における記録インク１と同様の方法により、下記成分からなるマゼンタ記録インク３を得た。
Ｐｒｏｊｅｔ  Ｆａｓｔ  Ｍａｇｅｎｔａ２（Ｚｅｎｅｃａ社製）              ３部
１，２，６−ヘキサントリオール                  ５部
マルチトール                                １０部
ＰＥＧ３００                                                                      ８部
アセチレノールＥＨ（川研ファインケミカル製）  ０．５部
イオン交換水                              ７３．５部。
【００９５】
（シアン記録インク３）
実施例１における記録インク１と同様の方法により、下記成分からなるシアン記録インク３を得た。
Ｃ．Ｉ．ダイレクトブルー１９９                                        ３部
１，２，６−ヘキサントリオール                  ５部
マルチトール                                １０部
ＰＥＧ２００                                                                      ８部
アセチレノールＥＨ（川研ファインケミカル製）  ０．５部
イオン交換水                              ７３．５部。
【００９６】
（ブラック記録インク３）
実施例１における記録インク１と同様の方法により、下記成分からなるブラック記録インク３を得た。
Ｃ．Ｉ．ダイレクトブラック１９５                                    ４部
１，２，６−ヘキサントリオール                  ５部
マルチトール                                １０部
ＰＥＧ４００                                                                      ８部
アセチレノールＥＨ（川研ファインケミカル製）  ０．５部
イオン交換水                              ７２．５部。
【００９７】
以上によりイエロー記録インク３、マゼンタ記録インク３、シアン記録インク３およびブラック記録インク３の４色からなる記録インクセット３を得た。
【００９８】
（記録インクセット４の作製）
（イエロー記録インク４の作製）
スチレン−アクリル酸共重合体（Ｊｏｎｃｒｙｌ  ６７８、ジョンソンポリマー社製）とこれを中和するのに必要な所定量の水酸化カリウム、及び水を混合して、約６０℃に保温した状態でこれらを撹拌混合し、１０％のスチレン−アクリル酸共重合体水溶液を作製した。
【００９９】
次に下記成分を混合して３０分間撹拌後、下記の条件で分散処理を行った。
１０％スチレン−アクリル酸共重合体水溶液        ３０部
ピグメントイエロー７４                        １０部
イオン交換水                                ６０部
・分散機：サンドグラインダー（五十嵐機械製）
・粉砕メディア：ジルコニウムビーズ、１ｍｍ径
・粉砕メディアの充填率：５０％（体積比）
・粉砕時間：３時間
更に遠心分離処理（１２，０００ｒｐｍ．、２０分間）を行い、粗大粒子を除去して分散液とした。
【０１００】
上記の顔料分散液を使用し、下記の組成比を有する成分を混合し、顔料を含有するインクを作製し、これをイエロー記録インク４とした。
上記顔料分散液                            ３０．０部
トリメチロールプロパン                    １０．０部
Ｄ−ソルビトール                            ７．０部
ＰＥＧ３００                                                                    ５．０部
アセチレノールＥＨ（川研ファインケミカル製）  １．０部
イオン交換水                              ４７．０部
このインクのカール低減剤量は２２部、水分量は７３．１部である。
【０１０１】
（マゼンタ記録インク４の作製）
イエロー記録インク４の調製の際に使用したピグメントイエロー７４（１０部）を、ピグメントレッド１２２に代えたこと以外はイエロー記録インク４の調製と同様にして、顔料含有マゼンタ記録インク４を調製した。
【０１０２】
（シアン記録インク４の作製）
イエロー記録インク４の調製の際に使用したピグメントイエロー７４（１０部）を、ピグメントブルー１５：３に代えたこと以外はイエロー記録インク４の調製と同様にして、顔料含有シアン記録インク４を調製した。
【０１０３】
（ブラック記録インク４の作製）
イエロー記録インク４の調製の際に使用したピグメントイエロー７４（１０部）を、カーボンブラック（ＭＣＦ８８、三菱化成製）に代えたこと以外はイエロー記録インク４の調製と同様にして、顔料含有ブラック記録インク４を調製した。
【０１０４】
以上によりイエロー記録インク４、マゼンタ記録インク４、シアン記録インク４およびブラック記録インク４の４色からなる記録インクセット４を得た。
【０１０５】
（比較インクセット２の作製）
（比較イエロー記録インク２の作製）
実施例１における記録インク１と同様の方法により、下記成分からなる比較イエロー記録インク２を得た。
Ｃ．Ｉ．アシッドイエロー２３                      ２．５部
グリセリン                                  ７．５部
ジエチレングリコール                        ７．５部
トリメチロールプロパン                      ５部
アセチレノールＥＨ（川研ファインケミカル製）  ０．５部
イオン交換水                                ７４部。
【０１０６】
（比較マゼンタ記録インク２の作製）
比較イエロー記録インク２におけるＣ．Ｉ．アシッドイエロー２３（２．５部）をＰｒｏｊｅｔ  Ｆａｓｔ  Ｍａｇｅｎｔａ２（Ｚｅｎｅｃａ社製）（３部）に変えたこと以外は全く同じ要領で比較マゼンタ記録インク２を得た。
【０１０７】
（比較シアン記録インク２の作製）
比較イエロー記録インク２におけるＣ．Ｉ．アシッドイエロー２３（２．５部）をＣ．Ｉ．ダイレクトブルー１９９（３部）に変えたこと以外は全く同じ要領で比較シアン記録インク２を得た。
【０１０８】
（比較ブラック記録インク２の作製）
比較イエロー記録インク２におけるＣ．Ｉ．アシッドイエロー２３（２．５部）をＣ．Ｉ．ダイレクトブラック１９５（４部）に変えたこと以外は全く同じ要領で比較ブラック記録インク２を得た。
【０１０９】
以上により比較イエロー記録インク２、比較マゼンタ記録インク２、比較シアン記録インク２および比較ブラック記録インク２の４色からなる比較記録インクセット２を得た。
【０１１０】
液体組成物３、４、５
（液体組成物３の作製）
下記成分を混合溶解し、更に、ポアサイズが１μｍのメンブレンフィルターにて加圧ろ過し、液体組成物３を得た。
・硝酸カルシウム                              ７部
・トリメチロールプロパン                      １８部
・ＰＥＧ４００                                      １０部
・グルコース                                  ２部
・アセチレノールＥＨ（川研ファインケミカル製）    １部
・イオン交換水                                ６２部
この液体組成物のカール低減剤量は３０部、水分量は６２部である。
【０１１１】
（液体組成物４の作製）
下記成分を混合溶解し、更に、ポアサイズが１μｍのメンブレンフィルターにて加圧ろ過し、液体組成物４を得た。
塩化ベンザルコニウム
（商品名：Ｇ−５０、三洋化成製）                                ５部
１，２，６−ヘキサントリオール                  １０部
ジグリセリンＥＯ付加物
（商品名：ＳＣＥ４５０、阪本薬品工業社製）            ７部
ガラクトース                              １２．５部
アセチレノールＥＨ（川研ファインケミカル製）  ０．４部
イオン交換水                              ６５．１部
この液体組成物のカール低減剤量は２９．５部、水分量は６５．１部である。
【０１１２】
（液体組成物５の作製）
下記成分を混合溶解し、更に、ポアサイズが１μｍのメンブレンフィルターにて加圧ろ過し、液体組成物５を得た。
ポリビニルアルコール（Ｍｗ：６０００）              ３部
還元澱粉糖化物
（商品名：ＰＯ４０、東和化成工業社製）                  ６部
マルチトール                              １２．５部
トリメチロールプロパン                        １０部
アセチレノールＥＨ（川研ファインケミカル製）  ０．４部
イソプロピルアルコール                      ３部
イオン交換水                              ６５．１部
この液体組成物のカール低減剤量は２８．５部、水分量は６５．１部である。
【０１１３】
下記表４に示す記録インクと液体組成物、および液体組成物の記録インクに対する印字のデューティの組み合わせで、実施例３〜７および比較例２、３の記録を行った。
【０１１４】
【表４】
2004209759.tif 000005
実施例３〜比較例３で使用したインクジェト記録装置、記録ヘッドは実施例１で使用したものと同じものを用いた。記録ヘッドの５つを用いて、４色からなる記録インクセットと液体組成物を用いて画像形成を行なった。
【０１１５】
また反応系の液体組成物を用いた実施例についてはカール量の評価の他に、下記のような画像特性の評価を行なった。反応系の液体組成物を用いない実施例７はカール量の評価のみ行なった。カール量の評価方法は実施例１で示したものと同じ要領で行なった。評価に用いた記録紙もＡ４サイズのＰＰＣ用紙（キヤノン製）である。
【０１１６】
［画像特性評価項目］
（ＢＫカラー間のブリード性）
イエローとブラックのベタ画像を隣接して印字した後、色間境界部のブリードを目視で評価した。印字は印字領域を１回の走査で行なう１パス印字であり、この際、液体組成物を先打ちして先ず記録紙上に付着させ、その次に記録インクを同パス内で付着させた。評価基準は、以下の通りである。
ＡＡ    ブリーディングを現認できない。
Ａ    ブリーディングはほとんど目立たない。
Ｂ    ブリーディングはしているが、実質上問題のないレベルである。
Ｃ    色の境界紙がハッキリしないほどブリーディングしている。
【０１１７】
（定着性）
液体組成物と、ブラック記録インクとを用いて、ブラックのベタ画像を形成し、下記の方法で評価した。ベタ画像を形成した後、一定の時間経過した段階でベタ画像の上に別の白紙をその自重で重ねて、該白紙の裏側に、記録した画像の転写がなくなり、地汚れが発生しなくなるまでの時間を測定し、その時間を定着性の尺度とした。測定時間は、記録終了時点を時間ゼロとして表した。この時間を用いての評価基準は、以下の通りである。
【０１１８】
Ａ：定着性が１０秒未満であり優れている。
【０１１９】
Ｂ：定着性が１０秒以上〜２０秒未満であり、実用上問題ない。
【０１２０】
Ｃ：定着性が２０秒以上であり、実用上問題が生じる。
【０１２１】
（画像濃度）
ベタ画像を液体組成物とブラックの記録インクとで形成し、得られた画像を１２時間放置した後、その反射濃度を反射濃度計マクベスＲＤ９１５（マクベス社製）にて測定し、その値で評価した。評価基準は以下の通りである。
ＡＡ：反射濃度が１．５０以上あり、非常に優れている。
Ａ：反射濃度が１．３５以上〜１．５０未満であり、優れている。
Ｂ：反射濃度が１．２５以上〜１．３５未満であるが実用上問題ない。
Ｃ：反射濃度が１．２５未満であり、好ましくない。
以下表５及び表６に評価結果を示す。
【０１２２】
【表５】
2004209759.tif 000006
【０１２３】
【表６】
2004209759.tif 000007
【０１２４】
【発明の効果】
以上説明したように、本発明によれば、普通紙へのインクジェット記録方法に関して、特に長期間においてもカールの発生がなく、しかも高速印字においても優れた画像濃度、ブリード性、高速定着性を得ることができるインクジェット記録方法が提供される。
【図面の簡単な説明】
【図１】インクジェット記録装置の一例を示す斜視図である。
【符号の説明】
１００８    ケーシング
１０１０    記録部
１０１０ａ  キャリッジ部材
１０１２    カートリッジ
１０１２Ｙ，Ｍ，Ｃ，Ｂ    インクジェットカートリッジ
１０１６    ベルト
１０１８    モータ
１０２０    駆動部
１０２２ａ，１０２２ｂ  ローラユニット
１０２４ａ，１０２４ｂ  ローラユニット
１０２６    回復ユニット
１０２６ａ，１０２６ｂ  プーリ
１０２８    用紙
１０３０    搬送装置
インク用）
【図１】
2004209759.tif 000008